(57)【要約】【課題】            浴室換気乾燥暖房機のフィルター清掃の際に、フィルターが容易に着脱することが可能で、また塵埃などが浴室内に落下することなくフィルターの清掃性を向上できるようにする。【解決手段】        本体１の下面の開口１ｃを覆い室内空気を吸込む吸込口５を形成した化粧パネル４と、化粧パネル４の吸込口５にフィルター組立て１２を備える。また、フィルター組立て１２はフィルター１１ａを有するフィルター枠１１と、フィルター枠１１を保持するフィルターガイド１２が備えられている。このフィルター組立て１２及び化粧パネル４の吸込み口５には、フィルター組立て１２を開閉自在に取り付けるフィルターガイド開閉手段と、フィルター組立て１２を開いた場合に、フィルター枠１１が自重によりフィルターガイド１２より所定の角度に傾いて保持されるフィルター枠保持手段とを備える。【選択図】          図７
2010203648.tif 000002
【特許請求の範囲】
【請求項１】
室内空気を排出する換気風路と、
室内空気を循環する循環風路を内部に有する本体と、
前記本体内の前記循環風路に前記本体下面の開口から室内空気を吸引して送風する循環用送風機と、前記送風機からの空気を加熱するヒーターと、
前記換気風路に前記本体下面の開口から室内空気を吸引して送風する換気用送風機と、
前記本体下面の開口を覆い室内空気を吸込む吸込口および室内に空気を吹出す吹出し口を形成した化粧パネルと、
前記化粧パネルの前記吸込口に、空気の塵、埃を除去するフィルター組立てを備え、
前記フィルター組立てはフィルター機能を有するフィルター枠と、前記フィルター枠を保持するフィルターガイドを備え、
前記フィルター組立て及び前記化粧パネルの前記吸込み口には、前記フィルター組立てを開閉自在に取り付けるフィルターガイド開閉手段を設け、
前記フィルター組立てを開いた場合に、前記フィルター枠が自重により前記フィルターガイドより所定の角度に傾いて保持されるフィルター枠保持手段を前記フィルター組立てに設けたことを特徴とする、浴室換気乾燥暖房機。
【請求項２】
前記フィルター枠は、自重により傾いて保持された際に、埃付着面が上向きとなるように保持されることを特徴とする請求項１に記載の浴室換気乾燥暖房機。
【請求項３】
前記フィルターガイドの端部に、前期フィルター枠が自重で傾いた場合の塵、埃を受ける受け皿を備えたことを特徴とする請求項１〜２いずれかに記載の浴室換気乾燥暖房機。
【請求項４】
前記フィルター枠保持手段は、前記フィルター枠の端部に切欠き部を備え、前記フィルターガイドには、前記切欠き部と嵌合し、かつ、前記フィルター枠を所定の角度で保持するフィルター枠保持爪からなることを特徴とする請求項１〜３いずれかに記載の浴室換気乾燥暖房機。
【請求項５】
前記フィルターガイド開閉手段は前記フィルターガイドの一端部に開閉の際の支点となる軸を設け、他方の一端部に前記化粧パネルに引っ掛けて嵌合される引っ掛け爪とを備え、前記化粧パネルには前記フィルターガイドの支点を保持する軸受部と、前記引っ掛け爪と嵌合される爪を備えたことを特徴とした請求項１〜４いずれか記載の浴室換気乾燥暖房機。
【請求項６】
前記化粧パネルの吸込口には、前期フィルターガイドの軸側端部と相対する位置に、凸形状の弾性変形される突起からなる、フィルターガイド開閉減速手段とを備えたことを特徴とする、請求項１〜５いずれか記載の浴室換気乾燥暖房機。
【発明の詳細な説明】
【技術分野】
【０００１】
本発明は、浴室の換気や暖房、衣類乾燥に好適な浴室換気乾燥暖房機に関するものである。
【背景技術】
【０００２】
ユニットバスなどの普及に合わせ、浴室に設置され快適性の向上をはかる換気や暖房、さらには浴室を利用し、乾燥雰囲気にすることにより衣類乾燥を行う浴室換気乾燥暖房機が普及されている。この浴室換気乾燥暖房機は、内部にヒーターを搭載したものが多く、このヒータの目詰まりを防止し、定期的なメンテナンスを実施することによって風量低下や騒音値の上昇を防ぐ目的で、浴室内の空気を吸引する吸込口にフィルターが設けられている。このフィルターは、化粧パネルにフィルター着脱口を形成し、フィルター着脱口より挿入されたフィルター枠を吸込口の内面に向け案内し配設するフィルターガイドを化粧パネルに設けた構成を採用している（例えば特許文献１参照）。
また、他の構成としては、化粧パネルに設けられ室内空気を吸い込む吸込みグリルにフィルターを備えたフィルター枠を配し、吸込みグリルに設けられた取手を指によって押圧するとロックのための爪が弾性変形し、化粧パネルのロック受部より吸込みグリルの爪が外れ、化粧パネルの軸受部を支点として吸込みグリルが開くものがある。また、フィルター枠は上下端面に嵌合片を設け、吸込みグリルには前記の嵌合片をはめ込むための切欠きが設けられており、フィルター枠は、上記の吸込みグリルが開いた状態で、フィルター枠の嵌合片周囲を弾性変形させて前記嵌合片を切欠きに嵌合させたり取外したりする構成を採用している（例えば特許文献２参照）。
【先行技術文献】
【特許文献】
【０００３】
【特許文献１】特開平８−２８０９９８号公報
【特許文献２】特開平２−２２３７４０号公報
【発明の概要】
【発明が解決しようとする課題】
【０００４】
しかしながら、特許文献１のような構成は、フィルター着脱口は浴室天井付近にあり、脚立や浴槽の上に登りフィルター枠を挿入しなければならず、さらにはフィルター枠とフィルター着脱口は接触しているか、または隙間が狭く、位置を合わせてスライドさせる作業は容易でなく、またフィルターの着脱等の作業性も悪いという欠点があった。また、フィルター枠を化粧パネルにスライドさせて着脱している構造のため、フィルター枠を化粧パネルから取出す場合に、塵や埃などが付着したフィルターと化粧パネルに設けたフィルター着脱口とが接触し、塵や埃などが浴室内に落下するという問題点もあった。
また、特許文献２のような構成は、フィルター枠と吸込みグリルの着脱の際に、フィルター枠を弾性変形させながら取外すため、弾性力によりフィルター枠が元の形に戻る際に、フィルターに付着した塵や埃が浴室または浴槽へ落下する欠点があった。また、フィルター枠の取付けの際は、フィルター枠を弾性変形させながらフィルター枠の嵌合片を吸込みグリルの切欠きにはめ込むため、位置決めが容易でなく作業がしづらいという問題点もあった。さらには吸込みグリルが下方に向けて開く際に、フィルターに保持していた埃が浴室内に落下するという問題もあった。
【０００５】
この発明は、上記のような課題を解決するためになされたもので、第１の目的は、フィルター清掃の際に、フィルター枠を備えたフィルターガイドを化粧パネルから開いた場合にフィルター枠が自重で倒れ所定の角度で保持されることから、フィルター枠が片手でも容易に脱着でき、高所作業でのフィルターの清掃性を向上できる浴室換気乾燥暖房機を提供するものである。
【０００６】
また、第２の目的は、フィルターを清掃するためにフィルターガイドが開く場合やフィルターを取外す際に、フィルターに付着した塵や埃などが浴室内に落下し浴室内や浴槽内が汚れることを防止するためのものである。
【課題を解決するための手段】
【０００７】
この発明は係る浴室換気乾燥暖房機において、本体下面の開口を覆い室内空気を吸込む吸込口および室内に空気を吹出す吹出し口を形成した化粧パネルと、前記化粧パネルの前記吸込口に、空気の塵、埃を除去するフィルター組立てを備え、前記フィルター組立てはフィルター機能を有するフィルター枠と、前記フィルター枠を保持するフィルターガイドを備え、前記フィルター組立て及び前記化粧パネルの前記吸込み口には、前記フィルター組立てを開閉自在に取り付けるフィルターガイド開閉手段と、前記フィルター組立てを開いた場合に、前記フィルター枠が自重により前記フィルターガイドより所定の角度に傾いて保持されるフィルター枠保持手段を備えたものである。
【発明の効果】
【０００８】
この発明は、フィルター枠を有したフィルターガイドが容易に化粧パネルから着脱開閉操作をすることが可能で、また、フィルターを有したフィルター枠が所定の角度で保持されるため、フィルター枠の着脱や位置決めが容易でフィルターの清掃性が大幅に改善できるものである。さらにはフィルター枠を取外す際に塵、埃、などが浴室内に落下するのを防止するものである。
【図面の簡単な説明】
【０００９】
【図１】この発明の実施の形態１を示す浴室換気乾燥暖房機の斜視図である。
【図２】この発明の実施の形態１を示すフィルターガイドの斜視図である。
【図３】この発明の実施の形態１を示す化粧パネルの斜視図である。
【図４】この発明の実施の形態１を示す化粧パネルとフィルターガイドの嵌合状態の断面図である。
【図５】この発明の実施の形態１を示す化粧パネルとフィルターガイドの嵌合が外れた状態の断面図である。
【図６】この発明の実施の形態１を示すフィルターガイドが開いた状態の断面図である。
【図７】この発明の実施の形態１を示すフィルター枠が傾いた状態の斜視図である。
【図８】この発明の実施の形態１を示すフィルター枠の部分断面図である。
【図９】この発明の実施の形態１を示すフィルターガイドをパネルに装着する際の外観図である。
【図１０】この発明の実施の形態１を示すフィルターガイド減速手段の化粧パネルの部分拡大図である。
【図１１】この発明の実施の形態１を示すフィルターガイド減速手段の化粧パネルとフィルターガイドの部分断面図である。
【図１２】この発明の実施の形態１を示すフィルターガイド減速手段の化粧パネルとフィルターガイドの部分断面図である。
【図１３】この発明の実施の形態１を示すフィルターガイド減速手段の化粧パネルとフィルターガイドの部分断面図である。
【発明を実施するための形態】
【００１０】
以下、この発明の浴室換気乾燥暖房機の実施の形態について、図面を参照して詳細に説明する。なお、この発明は以下に説明する実施の形態に限定されるものではない。
【実施例１】
【００１１】
図１は、実施の形態１に係る浴室換気乾燥暖房装置の外観を示す斜視図であり、実際の設置状態では浴室の天井などに設置されており、図１では設置状態において浴室側から見上げた状態を斜視図で示している。また、図1に示す浴室換気乾燥暖房機は、例えば本体を浴室に設置し、トイレ、洗面室などの換気にも対応可能な２、３部屋タイプのものを表している。なお、浴室換気乾燥暖房機はこのタイプに限らず、他にも浴室のみの一部屋タイプ、熱交換型換気扇との連動運転が可能なタイプなど様々なタイプのものが開発されている。
【００１２】
図１の１は箱状の本体を示し、内部には多翼羽根と電動機を備えた換気用送風機２が内蔵されている。また、本体1の側面には吸気口３ａ、３ｂが備えられており、それぞれ洗面室、トイレなどにダクト配管されその部屋の換気を行うものである。なお、この３ａ、３ｂは図示はされていないが、本体側面１ａ、１ｂに複数設けて、住宅の間取りを考慮し施工時においてこの吸気される方向や、吸気口の数を選択することが可能となっており、浴室のみの一部屋の換気から浴室、洗面、トイレなどの３部屋までの換気が可能となっている。本体１の下面側１ｃは開口されており、その開口端には、本体１を天井等に取付け固定するとともに、化粧パネル４を取付けるためのフランジ１ｄが開口１ｃの周囲に設けられている。実際の設置状態ではこの化粧パネル４が浴室側に表れる。化粧パネル４の表面には浴室内の空気を吸込む吸込み口５が設けられており、吸込み口５の５ａは換気用吸込み口であり、この吸込み口５ａから本体１の換気用送風機２に連通され排気口７に至る換気通風路６が設けられる。この換気通風路６には風路を閉止するための換気ダンパー６ａが設けられることもある。なお、本体１の側面１ａもしくは１ｂには排気口７が設けられ、排気口７はダクト配管などにより屋外へ連通されて、吸気口３ａ、３ｂ、及び、換気用吸込み口５ａから換気用送風機２により吸われた空気は、この排気口７より屋外に排気される。なお、この排気口７については図示はされていないが、本体側面１ａ、１ｂに複数の排気口７のダクト接続箇所を備え施工時において排気方向を選択できるものである。
また、本体１には多翼羽根と電動機により構成された循環用送風機８と、循環用送風機８の下流には過熱ヒーター９が内蔵されている。化粧パネル４の吸込み口５に設けられた５ｂは循環用吸込み口の開口で、循環用送風機８の吸込み口に対向する位置に設けられている。循環用送風機８により吸われた空気は、循環用吸込み口５ｂから循環用送風機８、過熱ヒーター９に連通し、化粧パネル４に設けた吹出し口１０より浴室内に吹出される循環風路８aを形成している。
【００１３】
上記のように構成された、浴室換気乾燥暖房装置についてその機能を説明する。浴室換気乾燥暖房装置は、上記の換気用送風機２、循環用送風機８、過熱ヒーター９を全て運転した場合は、浴室の湿気を室外に排出し、温風を吹出し口１０より吹出すことにより浴室乾燥、衣類乾燥が可能である。また、循環用送風機８と過熱ヒーター９を運転した場合は、浴室の暖房機として機能し、冬季の浴室内の暖房が可能である。さらに、これらの機能のほか、換気用送風機２のみの運転による換気運転、換気用送風機２と循環用送風機８の運転による、夏季の涼風運転など、年間を通じ用途に合わせた運転が可能である。なお、吸込み口５ａから換気通風路６に換気ダンパー６ａを備えたものは、換気ダンパー６ａは通常は開いており、浴室内の換気も行われるが、冬季の冷風感を防止する場合は換気ダンパー６ａを閉じることにより、浴室のみ換気を閉止することができる。さらには、ミスト発生装置を備えたミスト暖房などの機能を備えたタイプや、計画換気の対応から２４時間換気機能を備え快適性の向上を図る機能を付加することができる。また、これらの運転は、専用のコントローラなどで行われる。
【００１４】
次に詳細な構成について説明をする。
図１において、化粧パネル４の吸込み口５にはフィルター組立て１２が設けられている。このフィルター組立て１２は、フィルターガイド１２ａとその内側にフィルター１１ａを有したフィルター枠１１により構成されており、フィルター枠１１はフィルターガイド１２aに保持されている。また、フィルター組立て１２のフィルターガイド１２ａは吸込み口５に片側を回動自在に支持固定され、自在に開閉するよう構成されている。なお、フィルターガイド１２ａはギャラリ状で形成された吸込み口５に連通する開口を有し、フィルターガイド１２ａが完全に閉まっている場合には表面が化粧パネル４と面一な面となるよう、化粧パネル４の吸込み口５の凹部に配されている。
【００１５】
図２はフィルターガイド１２ａを示す斜視図であり、この図はフィルター枠１１が外されている場合を表している。また、図３はフィルターガイド１２ａが外された場合の化粧パネル４の斜視図である。図２、図３において、フィルターガイド１２ａの長手方向の一端部に化粧パネル４と自在に開閉する場合の支点となる軸１３を配し、他方の端部には化粧パネル４と嵌合し固定する引っ掛け爪１４が備えられている。一方化粧パネル４には、フィルターガイド１２ａの軸１３がはめ込まれる溝部１３aと、引っ掛け爪１４が嵌合される爪受け部１５が設けられており、この爪受け部１５は、化粧パネル４の表面に連結する押圧部１６を有している。爪受け部１５は、押圧部１６を押した場合斜め上方に弾性変形されるように構成されている。
【００１６】
次に、フィルターガイド１２ａの開閉動作について説明する。
図４、図５、図６は、図１に示すフィルター組立て１２及び化粧パネル４のＡ−Ａ線における部分断面図を示す。図４はフィルター組立て１２が化粧パネル４に取付けられている状態を示しており、フィルターガイド１２ａの引っ掛け爪１４は、化粧パネル４の爪受け部１５に嵌合され固定されている。
【００１７】
このフィルターガイド１２ａが開く場合について、図５は化粧パネル４に設けられた押圧部１６を押した状態を示している。図５において、押圧部１６を押すことにより、フィルターガイド１２ａの引っ掛け爪１４と嵌合されている爪受け部１５は凸部１５ａが引っ掛け爪１４の凸部１４ａより内側に押されて逃げ、斜め上方に弾性変形し引っ掛け爪１４との嵌合が外される。
よって、図６に示されるようにフィルターガイド１２ａは、端部に備えた軸１３を支点として、自重で下方に開くこととなる。このように、押圧部１６を押すだけでフィルターガイド１２ａが下方に回動して開くので、高所であっても容易に作業ができる。
【００１８】
なお、フィルターガイド１２ａを化粧パネル４に固定する場合は、このフィルターガイド１２ａを上方に持ち上げることにより、引っ掛け爪１４の凸部１４ａに押されて、化粧パネル４の爪受け部１５の凸部１５ａが押されて逃げ斜め上方に弾性変形し、引っ掛け爪１４の凸部１４ａと化粧パネル４の爪受け部１５の凸部１５ａが掛合される。よって、フィルターガイド１２ａは化粧パネル４に容易に固定されることとなる。
【００１９】
次に、フィルター１１ａを有した、フィルター枠１１について、説明を行う。
図７はフィルター組立て１２を化粧パネル４から開き、フィルター枠１１を装着した状態を示す斜視図である。フィルター枠１１はフィルター１１ａを例えば合成樹脂で一体成形にて形成した枠で囲んだ構成をしており、強度を保つ目的により枠は格子状に配されている。またフィルター枠１１は、ほぼ中央に着脱時に容易に手で持てるよう取っ手１１ｃを設け、また、フィルター枠１１の長手方向の一端部には、四角状の切欠き部１１ｂを備えた形状を有している。
【００２０】
図８は図７のＤ−Ｄ線における断面図を示し、フィルター枠１１に設けられた四角状の切欠き部１１ｂはフィルター枠１１を斜め上方から挿入することによりフィルターガイド１２ａに設けた２つのフィルター保持爪２０に嵌合されフィルター枠１１がフィルターガイド１２ａに装着される。なお、このフィルター保持爪２０はフィルター枠１１を装着する場合の位置決めと、フィルター枠１１が容易にフィルターガイド１２ａから外れ落下するのを防ぐ落下防止を兼ねている。また、フィルターガイド１２ａにおいて、フィルター保持爪２０の根元部にはフィルター枠１１の根元を押さえる突起２１が備えられ、この突起２１とフィルター保持爪２０に設けた外側に曲がったＬ形状により抜け止め（倒れ防止）となり、フィルター枠１１が所定の角度で保持される。よって、図７に示すように、フィルター枠１１を開いたときでも落下することはない。フィルター枠１１の着脱はフィルター枠１１を少しの角度起こすことで容易にできるものである。なお、フィルターガイド１２ａの端部はフィルター枠１１を支持するとともに、フィルター枠１１に付着した塵、埃を受ける受け皿２２を形成する。
【００２１】
図４〜図８を用い、その動作を説明する。
フィルター１１ａのメンテナンスを行うとき、まず、図４〜図６にて化粧パネル４の押圧部１６を押すことにより、フィルターガイド１２ａの引っ掛け爪１４と化粧パネル４の爪受け部１５が外れ、フィルター組立て１２はフィルターガイド１２ａの軸１３を支点に自重で下方にほぼ垂直の位置まで開かれる。フィルターガイド１２ａが開ききると、フィルターガイド１２ａに固定されているフィルター枠１１は、取っ手１１ｃを錘として自重で下方に倒れることとなる。このとき、図８のようにフィルター枠１１は、その切欠き部１１ｂにフィルター保持爪２０が嵌合されており、かつ、フィルターガイド１２ａの突起２１により端部がフィルターガイド１２押さえられており、所定の角度開いた状態で保持されることとなる。また、この際にフィルター枠１１の塵、埃付着面は上方側（フィルターガイド１２ａの方向）になるため、フィルター面に付着した埃、ゴミの一部はずり落ちるがフィルターガイド１２ａの受け皿２２に受けられ下に落ちることがない。フィルター枠１１は取っ手２０を手で持って斜め上方に引き抜くことにより、フィルター枠の切り欠き部１１ｂとフィルターガイド１２ａのフィルター保持爪２１の嵌合が外れ、フィルター枠１１が取外され、清掃を行うことが可能である。
【００２２】
また、清掃後においては、フィルター枠１１を斜め上方よりフィルター保持爪２０にならってフィルターガイド１２ａに挿入し、切欠き部１１ｂとフィルター保持爪２０を嵌合する（図７参照）。次、にフィルター枠１１をフィルターガイド１２ａ側に倒しながらフィルターガイド１２を上方に閉じていくと、上記フィルターガイド１２ａと化粧パネル４の外れる動作と逆の動作によりフィルターガイド１２ａは化粧パネル４に固定されることとなる。
【００２３】
以上のような構成により、フィルターガイド１２ａは、パネル４の爪受け部１５の押圧部１６を１箇所押すことにより、自重で開き、さらにフィルター枠１１についても所定の角度で開いて保持されるので、高所であっても片手で容易にフィルター枠を外すことが可能で、またフィルターを装着する際も位置決め、挿入が容易で、大幅に清掃性の改善が図れるものである。また、フィルターガイド１２ａには塵、埃を受ける受け皿２２が備えられ、フィルター枠自体も、塵、埃付着面が上方なるように倒れ保持されることから、フィルター枠１１に付着した塵、埃が浴室内に落下することも防止できるものである。
【００２４】
次にフィルターガイド１２ａが化粧パネル４から所定の速度を保ちながら開くための減速手段を説明する。
図１０は本願発明の減速機構を有する化粧パネル４の部分拡大図である。また図１１、図１２、図１３は本願発明の減速手段を示す部分断面図であり、図１１は図１でのＢ−Ｂ断面、図１２、図１３は図１でのＣ−Ｃ断面を表している。
図１０、図１１で示すように、化粧パネル５の吸込み口５は、化粧パネル４とフィルターガイド１２ａの軸１３側の端部１２ｂとの間で摺動関係を構成し、化粧パネル４側には凸状に形成され、フィルターガイド１２ａの端部１２ｂの摺動にあわせて随時弾性変形を行う板バネ部１７が構成されている。図１１に示すように、板バネ部１７はＲ部の１７ａにてバネ性を有し、フィルターガイド１２ａの回動に伴い端部１２ｂの摺動に合わせ板バネ部１７のレバー部１７ｂがフィルターガイド１２ａの端部１２ｂに当接して逃げるものである。なお、この板バネ部１７は化粧パネル４のフィルターガイド１２の端部１２ｂにあわせ複数設けられており、図１０、図１１では２箇所備えた例を示している。
【００２５】
また、図１０、図１２に示すように、化粧パネル４の吸込み口５には、フィルターガイド１２ａの軸１３側端部１２ｂの摺動部中央に摺動する、凸状に形成された突起１８が備えられ、一方、フィルターガイド１２ａの軸１３側の端部１２ｂ中央には突起１９が設けられている。図１２に示すように、フィルターガイド１２ａの凸状の突起１９と、化粧パネル４の凸状の突起１８は、フィルターガイド１２ａが所定の角度開いた時に当接され、より開くときの減速効果を高くしている。突起１８は、フィルターガイド１２ａの回動動作にあわせて上方に押されて逃げ、レバー部１８ｂが弾性変形を行うものである。
【００２６】
図１３はフィルターガイド１２ａが完全に開いた状態を示しており、フィルターガイド１２ａの突起１９は化粧パネル４の突起１８を乗り越えられる。このとき、化粧パネル４の突起１８と板バネ部１７のＲ部１７ａの根元と、フィルターガイド１２ａの突起１９と、端部１２ｂがそれぞれ当接し、フィルターガイド１２ａの突起１９と端部１２ｂは、化粧パネル４のレバー部１８ｂと板バネ部１７のバネ力によりそれぞれ押圧されている。よって、フィルターガイド１２ａは、フィルターガイド１２ａの突起１９と端部１２ｂがそれぞれ化粧パネル４の突起１８と突起１７のＲ部１７ａと接した位置で保持される。
【００２７】
以上のような構成により、フィルターガイド１２ａが開く際にフィルターガイド１２ａの端部１２ｂが板バネ部１７と接しながら開くことより、随時板バネ部１７は弾性変形を伴いながら開くこととなり、フィルターガイド１２ａの回動動作に対し板バネ部１７のＲ部１７ａのバネ力を受けながら開くものである。さらには、フィルターガイド１２ａの突起１９は、化粧パネル４の突起１８と所定の角度開いた時から当接しながら摺動されるため、このフィルターガイド１２ａが開き動作する場合には、この突起１８、１９間での摩擦力と突起１８のレバー部１８ａ復帰力も加えられている。
【００２８】
このため、フィルターガイド１２ａが化粧パネル４から自重で開く際には、板バネ１７のバネ力、突起１８、１９との摩擦力及び突起１８ｂの復帰力が、その開く重力の抵抗となり、所定速度を保ちながら開き急激に開くことはない。
以上のような構成により、フィルターガイド１２ａが所定の速度を保ちながら開くこととなり、さらには、開いた場合の衝撃も緩和できることからフィルター枠１１の面に付着した塵、埃が保持されたまま開くことが可能で、埃、ゴミが浴室内に落下することなく、フィルター枠１１の清掃が可能となるものである。さらには、フィルター１１が衝撃により落下することもなく、フィルターガイド１２ａの開閉動作を行う各部品の長寿命化が可能なものである。
【００２９】
なお、以上の構成において、浴室内の空気を吸引して送風する循環用送風機と、該循環用送風機によって送風される空気を加熱するヒーターと、浴室内の空気を浴室外へ排出する浴室換気乾燥暖房機を用いて説明したが、室内の空気を排気するパネルにフィルターを設けた換気装置においても同様の作用効果を有するものである。
【符号の説明】
【００３０】
１  本体、
１ａ、１ｂ  本体側面
１ｃ  開口
１ｄ  フランジ
２  換気用送風機、
３ａ、３ｂ  吸気口、
４  化粧パネル、
５  吸込み口
５ａ  換気用吸込口、５ｂ  循環用吸込口
６  換気通風路
６ａ  換気ダンパー
７  排気口、
８  循環用送風機、
８ａ  循環風路
９  加熱ヒーター、
１０  吹出口、
１１  フィルター枠、
１１ａ  フィルター、１１ｂ  切欠き部、１１ｃ  取っ手
１２  フィルター組立て
１２ａ  フィルターガイド、１２ｂフィルターガイド端部
１３  軸、
１３ａ  溝部
１４  爪、
１４ａ  凸部
１５  爪受け部、
１５ａ  凸部
１６  押圧部
１７  板バネ部、
１７ａ  Ｒ部
１７ｂ  レバー部
１８  突起、
１８ａ  突起の凸部
１８ｂ  レバー部
１９  突起、２０  突起、２１  突起、
２２  受け皿
【図１】
2010203648.tif 000003
【図２】
2010203648.tif 000004
【図３】
2010203648.tif 000005
【図４】
2010203648.tif 000006
【図５】
2010203648.tif 000007
【図６】
2010203648.tif 000008
【図７】
2010203648.tif 000009
【図８】
2010203648.tif 000010
【図９】
2010203648.tif 000011
【図１０】
2010203648.tif 000012
【図１１】
2010203648.tif 000013
【図１２】
2010203648.tif 000014
【図１３】
2010203648.tif 000015